(57)【要約】【課題】復水器のコンパクト化。【解決手段】水蒸気を含有する蒸気タービン排気を復水させる復水器本体１２と、復水器本体１２にその蒸気タービン排気を供給する流路２１を形成する連通ダクト１１と、流路２１に水を噴射させる噴射装置１５とを備えている。このような復水器１は、流路２１でその水蒸気の一部を凝縮させることができる。このため、このような復水器１は、復水器本体１２の負荷を低減することができ、復水器本体１２をよりコンパクトに形成することができる。【選択図】図２
2015014386.tif 000002
【特許請求の範囲】
【請求項１】
水蒸気を含有する蒸気タービン排気を復水させる復水器本体と、
前記復水器本体に前記蒸気タービン排気を供給する流路を形成する連通ダクトと、
前記流路に水を噴射させる噴射装置とを備える復水器。
【請求項２】
前記噴射装置は、前記流路のうちの前記蒸気タービン排気が流れる方向が水平方向の成分を有する領域に前記水を噴射する請求項１に記載される復水器。
【請求項３】
前記噴射装置は、前記水が噴射される方向と前記蒸気タービン排気が流れる方向とがなす角が直角より大きくなるように、前記水を噴射する請求項１〜請求項２のうちのいずれか一項に記載される復水器。
【請求項４】
前記水により復水される連通ダクトドレン水を回収するドレン水回収機構と、
前記連通ダクトドレン水の温度を計測するセンサと、
前記温度に基づいて算出された噴霧量に応じた前記水が噴射されるように、前記噴射装置を制御するコントローラとをさらに備える請求項１〜請求項３のうちのいずれか一項に記載される復水器。
【請求項５】
前記復水器本体により復水された復水器ドレン水を冷却することにより冷却水を生成する冷却塔をさらに備え、
前記復水器本体は、前記冷却水を用いて前記蒸気タービン排気を復水させ、
前記コントローラは、さらに、前記温度に基づいて算出された混合比で前記冷却水と前記復水器ドレン水とが混合された混合水が前記水として噴射されるように、前記噴射装置を制御する請求項４に記載される復水器。
【請求項６】
前記復水器本体により復水された復水器ドレン水を冷却することにより冷却水を生成する冷却塔をさらに備え、
前記復水器本体は、前記冷却水を用いて前記蒸気タービン排気を復水させ、
前記コントローラは、さらに、前記温度に基づいて算出された混合比で前記冷却水と前記連通ダクトドレン水とが混合された混合水が前記水として噴射されるように、前記噴射装置を制御する請求項４に記載される復水器。
【請求項７】
請求項１〜請求項６のうちのいずれか一項に記載される復水器と、
蒸気の運動エネルギーを回転動力に変換し、前記蒸気タービン排気を生成する蒸気タービンと、
前記回転動力を電力に変換する発電機とを備える発電装置。
【発明の詳細な説明】
【技術分野】
【０００１】
本発明は、復水器および発電装置に関し、特に、蒸気を凝縮させる復水器および発電装置に関する。
【背景技術】
【０００２】
地中の熱源を用いて発電する地熱発電装置が知られている。その地熱発電装置は、一般的に、蒸気タービンと発電機と復水器とを備えている。その蒸気タービンは、その熱源により生成された蒸気の運動エネルギーを用いて回転動力を生成する。その発電機は、その蒸気タービンにより生成された回転動力を用いて発電する。その復水器は、その蒸気タービンから排気された蒸気タービン排気を復水する。その復水器としては、その蒸気タービン排気を冷水に直接に接触させることによりその蒸気タービン排気を復水する直接接触式復水器が一般的に用いられている（特許文献１、２参照。）。その地熱発電装置は、その復水器がその蒸気タービン排気をより高効率に復水することにより、その蒸気タービンにより回転動力がより高効率に生成され、より高効率に発電することができる。
【先行技術文献】
【特許文献】
【０００３】
【特許文献１】特開２０１２−１１７７４０号公報
【特許文献２】特開２０１２−１９３８８３号公報
【発明の概要】
【発明が解決しようとする課題】
【０００４】
このような地熱発電装置は、よりコンパクトに形成されることが望まれ、その復水器は、よりコンパクトに形成されることが望まれている。
【０００５】
本発明の課題は、よりコンパクトに形成される復水器および発電装置を提供することにある。
【課題を解決するための手段】
【０００６】
本発明による復水器は、水蒸気を含有する蒸気タービン排気を復水させる復水器本体と、その復水器本体にその蒸気タービン排気を供給する流路を形成する連通ダクトと、その流路に水を噴射させる噴射装置とを備えている。
【０００７】
このような復水器は、その流路でその水蒸気の一部を凝縮させることができる。このため、このような復水器は、その復水器本体の負荷を低減することができ、その復水器本体をよりコンパクトに形成することができる。
【０００８】
その噴射装置は、その流路のうちのその蒸気タービン排気が流れる方向が水平方向の成分を有する領域にその水を噴射する。
【０００９】
このような領域に噴射された水は、鉛直下向きの流路に噴射された水に比較して、滞留時間が長い。このため、このような復水器は、その水の液滴の径を大きめに設定することができ、鉛直下向きの流路に水を噴射する噴射装置を備える他の復水器に比較して、その水を噴射させる噴射圧力を低減させることができ、その水をより容易に噴射させることができる。
【００１０】
その噴射装置は、その水が噴射される方向とその蒸気タービン排気が流れる方向とがなす角が直角より大きくなるように、その水を噴射する。
【００１１】
このような噴射された水は、そのなす角が直角より小さなるように噴射された水に比較して、滞留時間が長い。このため、このような復水器は、その水の液滴の径を大きめに設定することができ、そのなす角が直角より小さなるように水を噴射する他の復水器に比較して、その水を噴射させる噴射圧力を低減させることができ、その水をより容易に噴射させることができる。
【００１２】
本発明による復水器は、その水により復水される連通ダクトドレン水を回収するドレン水回収機構と、その連通ダクトドレン水の温度を計測するセンサと、その温度に基づいて算出された噴霧量に応じたその水が噴射されるように、その噴射装置を制御するコントローラとをさらに備えている。
【００１３】
その連通ダクトドレン水の温度は、その水蒸気の凝縮の程度を示している。このような復水器は、その水を噴射する噴霧量をその温度に基づいて制御することにより、その水蒸気をより適切に凝縮させることができる。このような復水器は、さらに、水を噴射させる噴射圧力を必要以上に増加させることを防止し、水を噴射させる動力を低減することができる。
【００１４】
本発明による復水器は、その復水器本体により復水された復水器ドレン水を冷却することにより冷却水を生成する冷却塔をさらに備えている。その復水器本体は、その冷却水を用いてその蒸気タービン排気を復水させ、そのコントローラは、さらに、その温度に基づいて算出された混合比でその冷却水とその復水器ドレン水とが混合された混合水がその水として噴射されるように、その噴射装置を制御する。
【００１５】
このような復水器は、その水をより適切な温度で噴射することができ、その水蒸気をより適切に凝縮させることができる。このような復水器は、さらに、その復水器ドレン水の一部をその流路に噴射させることにより、その復水器ドレン水がその冷却塔に供給される供給量を低減することができ、その復水器ドレン水をその冷却塔に供給する動力を低減することができる。このような復水器は、さらに、その噴射される水に復水器ドレン水が混合される分だけ、その噴射される水に混合される冷却水を低減することができる。
【００１６】
本発明による復水器は、その復水器本体により復水された復水器ドレン水を冷却することにより冷却水を生成する冷却塔をさらに備えている。その復水器本体は、その冷却水を用いてその蒸気タービン排気を復水させ、そのコントローラは、さらに、その温度に基づいて算出された混合比でその冷却水とその連通ダクトドレン水とが混合された混合水がその水として噴射されるように、その噴射装置を制御する。
【００１７】
このような復水器は、その水をより適切な温度で噴射することができ、その水蒸気をより適切に凝縮させることができる。
【００１８】
本発明による発電装置は、本発明による復水器と、蒸気の運動エネルギーを回転動力に変換し、その蒸気タービン排気を生成する蒸気タービンと、その回転動力を電力に変換する発電機とを備えている。
【００１９】
このような発電装置は、その復水器がコンパクトに形成されることにより、よりコンパクトに形成されることができる。このような発電装置は、さらに、連通ダクトの圧力損失を低減することができることにより、蒸気の運動エネルギーをより高効率に回転動力に変換することができ、より高効率に発電することができる。
【発明の効果】
【００２０】
本発明による復水器および発電装置は、よりコンパクトに形成されることができる。
【図面の簡単な説明】
【００２１】
【図１】地熱発電装置を示す概略構成図である。
【図２】復水器を示す概略構成図である。
【図３】他の散水塔を示す側面図である。
【図４】他の連通ダクトを示す断面図である。
【図５】さらに他の連通ダクトを示す断面図である。
【発明を実施するための形態】
【００２２】
図面を参照して、復水器の実施の形態が以下に記載される。その復水器１は、図１に示されているように、地熱発電設備１０に利用されている。地熱発電設備１０は、気水分離装置２と蒸気タービン３と発電機５と復水器１とを備えている。気水分離装置２は、生産井６から供給される蒸気を液体と気体とに分離する。その気体は、水蒸気を含有している。気水分離装置２は、その液体を還元井７に供給する。
【００２３】
蒸気タービン３は、回転可能に支持されているシャフト８を備えている。蒸気タービン３は、気水分離装置２により分離された気体の運動エネルギーを用いてシャフト８を回転させ、蒸気タービン排気を排気する。発電機５は、シャフト８の回転を電力に変換する。
【００２４】
図２は、復水器１を示している。復水器１は、連通ダクト１１と復水器本体１２と冷却塔１４と噴射装置１５と温度計１６とコントローラ１７とを備えている。連通ダクト１１は、蒸気タービン３から排気される蒸気タービン排気を復水器本体１２に供給する流路２１を形成している。流路２１は、その蒸気タービン排気が概ね水平方向に流れるように、形成されている。
【００２５】
連通ダクト１１は、さらに、ドレン水回収機構が形成されている。そのドレン水回収機構は、傾斜面２２とドレン水貯留槽２３とから形成されている。傾斜面２２は、連通ダクト１１の流路２１に面する内壁に形成され、連通ダクト１１のうちのドレン水貯留槽２３より上流側の領域に配置されている。傾斜面２２は、法線ベクトルの鉛直上側方向成分が正である。傾斜面２２は、さらに、傾斜面２２に連通ダクトドレン水が付着したときに、その連通ダクトドレン水をドレン水貯留槽２３に導くように、形成されている。すなわち、傾斜面２２は、傾斜面２２のうちの任意の第１領域が傾斜面２２のうちのその第１領域に隣接する第２領域よりドレン水貯留槽２３より近いときに、その第１領域がその第２領域より鉛直下側に配置されるように、形成されている。
【００２６】
ドレン水貯留槽２３は、連通ダクト１１の流路２１に面する内壁のうちの鉛直下側の領域に形成され、窪みに形成されている。ドレン水貯留槽２３は、さらに、傾斜面２２に隣接するように配置されている。ドレン水貯留槽２３は、傾斜面２２により導かれた連通ダクトドレン水を貯留する。
【００２７】
復水器本体１２は、復水器容器２４と複数の散水塔２５とを備えている。復水器容器２４は、流路２１に接続される比較的広い空間を内部に形成している。その空間がある鉛直面と交差する断面の断面積は、流路２１が任意の鉛直面と交差する断面の断面積より大きい。復水器容器２４は、連通ダクト１１と別途に作製され、作製された後に連通ダクト１１に接合される。復水器容器２４は、さらに、復水器ドレン水を貯留する水受けが内部に形成されている。その水受けは、復水器容器２４の床面の全体に形成されている。
【００２８】
複数の散水塔２５のうちの任意の散水塔は、棒状に形成され、鉛直方向に平行である直線に沿うように、復水器容器２４の内部に配置されている。その散水塔は、複数のノズルを備えている。複数の散水塔２５は、冷却塔１４から供給される冷却水をそのノズルから復水器容器２４の内部に噴霧する。
【００２９】
冷却塔１４は、冷却塔容器２６とポンプ２７と噴霧器２８とを備えている。冷却塔容器２６は、復水器本体１２の複数の散水塔２５の複数のノズルより高所に配置されている。冷却塔容器２６は、さらに、冷却水を貯留する。ポンプ２７は、復水器本体１２の復水器容器２４に貯留されている復水器ドレン水を噴霧器２８に所定の流量で供給する。噴霧器２８は、複数のノズルを備え、冷却塔容器２６の上部に配置されている。噴霧器２８は、ポンプ２７により復水器ドレン水が供給されることにより、その復水器ドレン水をその複数のノズルから冷却塔容器２６の内部に噴霧する。
【００３０】
噴射装置１５は、ポンプ３０とバルブ３１とバルブ３３と散水塔３４とを備えている。ポンプ３０は、連通ダクト１１のドレン水貯留槽２３に貯留されている連通ダクトドレン水を所定の圧力でバルブ３１に供給する。バルブ３１は、コントローラ１７に制御されることにより、ポンプ３０から供給される連通ダクトドレン水を散水塔３４に供給する流量を変化させる。バルブ３３は、コントローラ１７に制御されることにより、冷却塔１４の冷却塔容器２６に貯留されている冷却水を冷却塔１４から散水塔３４に流す流量を変化させる。
【００３１】
散水塔３４は、流路２１に配置されている。散水塔３４は、バルブ３１から供給される連通ダクトドレン水とバルブ３３から供給される冷却水とを混合することにより、混合水を生成する。散水塔３４は、ノズルを備えている。散水塔３４は、流路２１の下流側に向けて、その混合水をそのノズルから流路２１に噴霧する。
【００３２】
温度計１６は、コントローラ１７に情報伝達可能に電気的に接続されている。温度計１６は、コントローラ１７に制御されることにより、連通ダクト１１のドレン水貯留槽２３に貯留される連通ダクトドレン水の温度を測定する。
【００３３】
コントローラ１７は、コンピュータであり、図示されていないＣＰＵと記憶装置とメモリドライブと通信装置とインターフェースとを備えている。そのＣＰＵは、コントローラ１７にインストールされるコンピュータプログラムを実行して、その記憶装置とメモリドライブと通信装置とインターフェースとを制御する。その記憶装置は、そのコンピュータプログラムを記録する。その記憶装置は、さらに、そのＣＰＵにより利用される情報を記録する。
【００３４】
そのインターフェースは、コントローラ１７に接続される外部機器により生成される情報をそのＣＰＵに出力し、そのＣＰＵにより生成された情報をその外部機器に出力する。その外部機器は、バルブ３１とバルブ３３と温度計１６とを含んでいる。
【００３５】
コントローラ１７にインストールされるコンピュータプログラムは、コントローラ１７に複数の機能をそれぞれ実現させるための複数のコンピュータプログラムから形成されている。その複数の機能は、温度測定部と噴射装置制御部とを含んでいる。
【００３６】
その温度測定部は、連通ダクト１１のドレン水貯留槽２３に貯留される連通ダクトドレン水の温度が測定されるように、温度計１６を制御する。
【００３７】
その噴射装置制御部は、その温度測定部により測定された温度に基づいて噴霧量と混合割合とを算出する。その噴霧量は、その温度が高いほど大きくなるように、算出される。その混合割合は、散水塔３４から噴霧される混合水に連通ダクトドレン水が含有される割合と、その混合水に冷却水が含有される割合とを示している。その混合割合は、その連通ダクトドレン水の温度が高いほど、その混合水に連通ダクトドレン水が含有される割合が小さくなるように、その混合水に冷却水が含有される割合が大きくなるように、算出される。その噴射装置制御部は、さらに、散水塔３４から混合水が単位時間あたりに噴霧される噴霧量が、その算出された噴霧量に等しくなるように、かつ、散水塔３４から噴霧される混合水の混合割合がその算出された混合割合に等しくなるように、バルブ３１とバルブ３３とを制御する。
【００３８】
地熱発電設備１０は、生産井６から取り出される地熱を利用して発電する。すなわち、気水分離装置２は、生産井６から供給される蒸気を液体と気体とに分離する。気水分離装置２は、その液体を還元井７に供給する。蒸気タービン３は、気水分離装置２により分離された蒸気が膨張する際に開放されるエンタルピーを用いてシャフト８を回転させ、蒸気タービン排気を排気する。発電機５は、シャフト８の回転を電力に変換する。
【００３９】
連通ダクト１１は、流路２１を介してその蒸気タービン排気を復水器本体１２に供給する。その蒸気タービン排気は、流路２１を流れるときに、散水塔３４から噴霧される冷却水に接触し、一部が凝縮する。その冷却水とその凝縮した凝縮水とが混合された連通ダクトドレン水は、連通ダクト１１の傾斜面２２に付着することにより、ドレン水貯留槽２３に導かれる。傾斜面２２により導かれた連通ダクトドレン水は、ドレン水貯留槽２３に貯留される。
【００４０】
連通ダクト１１を介して復水器容器２４に供給された蒸気タービン排気は、複数の散水塔２５から噴霧される冷却水に接触することにより、冷却され、凝縮する。その冷却水とその凝縮した凝縮水とが混合された復水器ドレン水は、復水器容器２４に貯留される。
【００４１】
復水器容器２４に貯留された復水器ドレン水は、ポンプ２７により、冷却塔１４の噴霧器２８に供給される。噴霧器２８に供給された復水器ドレン水は、冷却塔容器２６の内部に噴霧される。噴霧器２８から噴射された復水器ドレン水は、冷却塔容器２６の内部で大気と接触し、一部が気化することにより、冷却される。冷却塔１４は、その復水器ドレン水を冷却することにより冷却水を生成し、その冷却水を冷却塔容器２６に貯留する。
【００４２】
一般的に復水器２４内部は大気圧より低い負圧をなしており、冷却塔容器２６に貯留された冷却水は、その冷却水が有する位置エネルギーと内外圧差圧により、バルブ３３に供給されるとともに、復水器本体１２の複数の散水塔２５に供給される。複数の散水塔２５に供給された冷却水は、複数のノズルから復水器容器２４の内部に噴霧される。
【００４３】
コントローラ１７は、温度計１６を制御することにより、連通ダクト１１のドレン水貯留槽２３に貯留される連通ダクトドレン水の温度を測定する。コントローラ１７は、その温度に基づいて噴霧量と混合割合とを算出する。コントローラ１７は、バルブ３１とバルブ３３とを制御することにより、混合割合がその算出された混合割合に等しくなるように、混合水を生成し、単位時間当たりの噴霧量がその算出された噴霧量に等しくなるように、その混合水を散水塔３４から流路２１に噴霧する。
【００４４】
たとえば、コントローラ１７は、その連通ダクトドレン水の温度が比較的高いときに、散水塔３４から流路２１に混合水を噴霧する噴霧量を大きくし、その混合水に連通ダクトドレン水が含有される割合を小さくし、その混合水に冷却水が含有される割合を大きくする。コントローラ１７は、その連通ダクトドレン水の温度が比較的低いときに、散水塔３４から流路２１に混合水を噴霧する噴霧量を小さくし、その混合水に連通ダクトドレン水が含有される割合を大きくし、その混合水に冷却水が含有される割合を小さくする。
【００４５】
このような復水器１は、その蒸気タービン排気の一部を連通ダクト１１が凝縮させることができる。このため、このような復水器１は、復水器本体１２の負荷を低減することができる。このような復水器１は、さらに、復水する能力がより小さい復水器を復水器本体１２に利用することにより、復水器本体１２をよりコンパクトに形成することができる。
【００４６】
このような復水器１は、さらに、その蒸気タービン排気の一部を流路２１で凝縮させていることにより、その蒸気タービン排気が流路２１を流れる圧力損失を低減することができる。このような復水器１は、流路２１の圧力損失が低減されることにより、タービン排気を低くすることができる。蒸気タービン３は、その蒸気タービンの圧力落差を大きくとることができるため、回転動力をより高効率に生成することができる。
【００４７】
連通ダクト１１のドレン水貯留槽２３に貯留される連通ダクトドレン水の温度は、散水塔３４から噴射される混合水がどの程度冷却水として有効に作用しているかを示している。散水塔３４から噴射された混合水は蒸気タービン排気を凝縮するほど温度が高くなる。すなわち、その連通ダクトドレン水の温度は、その混合水が冷却水として有効に作用しているほど、高くなる傾向がある。
【００４８】
このような復水器１は、散水塔３４から混合水が噴射される噴霧量をその温度に基づいて変化させることにより、噴射する混合水の量を適正化することができる。このとき、このような復水器１は、散水塔３４から噴射される混合水の水量を必要以上に増加させることを防止することができ、その混合水を噴射させる動力（たとえば、ポンプ２７やポンプ３０の消費エネルギー）を低減することができ、ランニングコストを低減することができる。
【００４９】
このような復水器１は、散水塔３４から噴射される混合水の混合割合をその温度に基づいて変化させることにより、その混合水の温度を適切に調整することができる。例えば連通ダクトドレン水の温度が低い場合、冷却塔１４で生成した冷却水を必要以上に混合しているということであり、この場合バルブ３１とバルブ３３を制御することにより、ドレン水貯留槽２３からの水量を増やすとともに冷却塔１４からの水量を減らすことができる。ポンプ２７に比べてポンプ３０は、復水器内の負圧から大気圧まで圧力を上昇させる必要がないことから、ポンプ２７の通過流量を減らすことができれば、その分ポンプ３０の通過流量が上昇したとしても全体としての補機動力は削減することができる。もしくは、ポンプ２７の通過流量をコントロールしない場合には、復水器内の複数の散水塔２５への冷却水分配を増やすことができるため復水器本体１２での凝縮量を増やすことができる。
【００５０】
地熱発電設備１０は、復水器１がコンパクトに形成されることにより、コンパクトに形成されることができる。地熱発電設備１０は、さらに、蒸気タービン排気の圧力損失を低減させることにより、蒸気タービン３が回転動力をより高効率に生成することができ、より高効率に発電することができる。
【００５１】
なお、コントローラ１７は、その混合水の混合割合を変化させないで、その混合水の噴霧量がその連通ダクトドレン水の温度に基づいて変化するように、バルブ３１とバルブ３３とを制御することもできる。コントローラ１７は、さらに、その混合水の噴霧量を変化させないで、その混合水の混合割合がその連通ダクトドレン水の温度に基づいて変化するように、バルブ３１とバルブ３３とを制御することもできる。このような制御が適用された復水器も、既述の実施の形態における復水器と同様にして、ランニングコストを低減することができ、ポンプ２７の負荷を低減することができる。
【００５２】
なお、噴射装置１５は、その混合水と異なる他の水を流路２１に噴霧する他の噴霧装置に置換されることもできる。その水としては、その連通ダクトドレン水とその復水器ドレン水とその冷却水とうちのいずれか、外部から供給される水が例示される。このような噴霧装置が適用された復水器も、既述の実施の形態における復水器１と同様にして、復水器本体１２をコンパクトに形成することができ、蒸気タービン排気をより高効率に復水することができる。
【００５３】
なお、噴射装置１５は、流路に噴霧される水の組成と噴霧量とが変化しない他の噴射装置に置換されることができる。このような復水器も、既述の実施の形態における復水器と同様にして、ランニングコストを低減することができ、冷却塔１４の負荷を低減することができる。このような復水器は、さらに、コントローラ１７を省略することができ、より容易に作製されることができる。
【００５４】
復水器の実施の他の形態は、既述の実施の形態における散水塔３４が他の散水塔に置換されている。その散水塔４１は、図３に示されるように、流路２１の上流側に向けてその混合水を噴射する。このような散水塔４１を備えた復水器も、既述の実施の形態における復水器１と同様にして、復水器本体１２をコンパクトに形成することができ、蒸気タービン排気をより高効率に復水することができる。散水塔４１は、流路２１の上流側に向けてその混合水を噴射することにより、既述の実施の形態における散水塔３４に比較して、その混合水の液滴が流路２１の内壁に付着しないで滞留する滞留時間を延長することができる。散水塔４１を備えた復水器は、その滞留時間が延長することにより、液滴が凝縮できる蒸気量を大きくすることができる。このため、散水塔４１を備えた復水器は、既述の実施の形態における復水器１に比較して、その混合水を噴霧する噴射圧力をより低減することができ、よりランニングコストを低減することができる。
【００５５】
なお、散水塔３４，４１は、さらに、その混合水を流路２１に噴射する他の噴射装置に置換されることができる。その噴射装置としては、内壁に取り付けられる噴霧器が例示される。このような噴射装置を備える復水器も、既述の実施の形態における復水器１と同様にして、復水器本体１２をコンパクトに形成することができ、蒸気タービン排気をより高効率に復水することができる。
【００５６】
なお、流路２１は、水平方向と異なる方向に蒸気タービン排気を流す他の流路に置換されることができる。その流路としては、その蒸気タービン排気を鉛直下向きに流す流路が例示される。このような流路を備えた復水器も、既述の実施の形態における復水器１と同様にして、復水器本体１２をコンパクトに形成することができ、蒸気タービン排気をより高効率に復水することができる。その蒸気タービン排気を鉛直下向きに流す流路は、噴霧された混合水がその流路に滞留する滞留時間が比較的短い。このため、既述の実施の形態における復水器１は、その蒸気タービン排気を鉛直下向きに流す流路を備えた復水器に比較して、その混合水を噴霧する噴射圧力をより低減することができ、よりランニングコストを低減することができる。
【００５７】
復水器の実施のさらに他の形態は、既述の実施の形態における連通ダクト１１がさらに他の連通ダクトに置換されている。その連通ダクト６１は、図４に示されるように、流路６２を形成し、ドレン水回収機構が形成されている。そのドレン水回収機構は、傾斜面６３と複数のドレン水貯留槽６４−１〜６４−２とから形成されている。傾斜面６３は、連通ダクト６１の流路６２に面する内壁に形成され、傾斜面６３に連通ダクトドレン水が付着したときに、その連通ダクトドレン水を複数のドレン水貯留槽６４−１〜６４−２のいずれかに導くように、複数のドレン水貯留槽６４−１〜６４−２のいずれかに向かって下り坂になるように形成されている。複数のドレン水貯留槽６４−１〜６４−２は、それぞれ、連通ダクト６１の流路６２に面する内壁のうちの鉛直下側の領域に形成され、窪みに形成されている。複数のドレン水貯留槽６４−１〜６４−２は、さらに、傾斜面６３に隣接するように配置されている。複数のドレン水貯留槽６４−１〜６４−２は、傾斜面６３により導かれた連通ダクトドレン水を貯留する。
【００５８】
複数のドレン水貯留槽６４−１〜６４−２を備える復水器も、既述の実施の形態における復水器１と同様にして、復水器本体１２をコンパクトに形成することができ、蒸気タービン排気をより高効率に復水することができる。
【００５９】
復水器の実施のさらに他の形態は、既述の実施の形態における連通ダクト１１がさらに他の連通ダクトに置換されている。その連通ダクト７１は、図５に示されるように、流路７２を形成し、傾斜面７３が形成されている。傾斜面７３は、連通ダクト７１の流路７２に面する内壁に形成され、傾斜面７３に連通ダクトドレン水が付着したときに、その連通ダクトドレン水を復水器本体１２の復水器容器２４に導くように、復水器容器２４に向かって下り坂になるように形成されている。このとき、復水器容器２４は、その連通ダクトドレン水と複数の散水塔２５から噴霧される冷却水と復水器容器２４の内部で凝縮した凝縮水とが混合された復水器ドレン水を貯留する。
【００６０】
このとき、温度計１６は、傾斜面７３を流れる連通ダクトドレン水の温度を測定する。ポンプ３０は、復水器容器２４に貯留されている復水器ドレン水を所定の圧力でバルブ３１に供給する。コントローラ１７は、温度計１６により測定された連通ダクトドレン水の温度に基づいて噴霧量と混合割合とを算出する。コントローラ１７は、バルブ３１とバルブ３３とを制御することにより、混合割合がその算出された混合割合に等しくなるように、ポンプ３０から供給される復水器ドレン水と冷却塔１４から供給される冷却水とを混合し、単位時間当たりの噴霧量がその算出された噴霧量に等しくなるように、その混合水を散水塔３４から流路２１に噴霧する。
【００６１】
連通ダクト７１を備えた復水器は、既述の復水器１からドレン水貯留槽２３が廃され、より容易に作成されることができる。このような復水器は、既述の復水器１で使用される連通ダクトドレン水の代わりとして、連通ダクトドレン水と復水器容器２４の内部で凝縮した復水器ドレン水との混合水を使用することができる。このため、このような復水器も、既述の実施の形態における復水器１と同様にして、復水器本体１２をコンパクトに形成することができ、蒸気タービン排気をより高効率に復水することができる。
【符号の説明】
【００６２】
１  ：復水器
２  ：気水分離装置
３  ：蒸気タービン
５  ：発電機
１０：地熱発電設備
１１：連通ダクト
１２：復水器本体
１４：冷却塔
１５：噴射装置
１６：温度計
１７：コントローラ
２１：流路
２２：傾斜面
２３：ドレン水貯留槽
２４：復水器容器
２５：複数の散水塔
２６：冷却塔容器
２７：ポンプ
２８：噴霧器
３０：ポンプ
３１：バルブ
３３：バルブ
３４：散水塔
４１：散水塔
６１：連通ダクト
６２：流路
６３：傾斜面
６４−１〜６４−２：複数のドレン水貯留槽
７１：連通ダクト
７３：傾斜面
【図１】
2015014386.tif 000003
【図２】
2015014386.tif 000004
【図３】
2015014386.tif 000005
【図４】
2015014386.tif 000006
【図５】
2015014386.tif 000007